(57)【特許請求の範囲】
【請求項１】
標準記録モードと前記標準記録モードに対し２倍あるいは３倍の長時間記録を可能とする２倍あるいは３倍記録モードに対応し、主に映像信号の記録再生および特殊再生に使用する１組以上のヘッド対によって構成されるヘッド群Ａと、主に音声信号の記録再生に使用するヘッド対Ｂとを有し、前記ヘッド群Ａは、前記標準記録モードに対し５倍以上の長時間記録を可能とする５倍以上の長時間記録モードに対応し映像信号の記録に使用するヘッド対Ｄを含む磁気記録再生装置において、５倍以上の長時間記録モードの映像信号を再生するために使用しヘッド幅Ｔｗｃが５倍以上の長時間記録モードのトラックピッチＰｘに対しＴｗｃ≦Ｐｘの関係にあるヘッド対Ｃを備え、前記ヘッド対ＤはトラックピッチＰｘに対してＰｘ＜Ｔｗｄ＜２×Ｐｘなるヘッド幅Ｔｗｄを有し、前記ヘッド対ＢはトラックピッチＰｘに対して２×Ｐｘ＜Ｔｗｂ＜３×Ｐｘなるヘッド幅Ｔｗｂを有し、５倍以上の長時間記録モードの再生時に、前記ヘッド対Ｃのヘッド幅中心が前記ヘッド対Ｄにより映像信号が記録された映像トラックの中心をトレースする場合に、前記ヘッド対Ｂが同アジマスの音声トラックを全てトレースし、且つ、前記ヘッド対Ｂが余分にトレースする逆アジマスの隣接音声トラック中にある前記ヘッド対Ｄにより映像信号が１回のみ記録された箇所を、前記ヘッド対Ｂが２箇所同時にトレースすることのない位置に、前記ヘッド対Ｂと前記ヘッド対Ｃを配置したことを特徴とする磁気記録再生装置。
【発明の詳細な説明】
【０００１】
【発明の属する技術分野】
本発明は、標準記録モードに対し５倍以上の長時間記録モードを有する磁気記録再生装置に関するものである。
【０００２】
【従来の技術】
近年、磁気記録再生装置は低価格化が進み磁気テープのランニングコストの低下も求められている。しかしながら記録時間の長時間化は標準モードとその２倍、３倍の長時間記録が可能な記録モード（以下標準モードの２倍の長時間記録できるモードを２倍モード、３倍長時間記録を３倍モード、同様に４倍モード、５倍モード、６倍モードと称する。）までしか市場に導入されていなかった。
【０００３】
以下に従来の磁気記録再生装置について説明する。
【０００４】
従来、５倍以上の長時間記録として６倍モードの記録再生を可能にした磁気記録再生装置は特開平７−７３４０５号公報に記載されたものが知られている。その磁気記録再生装置を図４と図５に示す。図４及び図５は従来の磁気記録再生装置の回転ヘッドの構成を示す概略説明図である。大きな円周にある小さな○は取り付けられたヘッドを示す。図４において、３倍モードにおけるトラックピッチの２倍より若干狭いヘッド幅を有する標準モード用シングルヘッド対５（５Ｒ，５Ｌ）と３倍モードにおけるトラックピッチとほぼ等しいヘッド幅を有する３倍モード用ヘッド対７（７Ｒ，７Ｌ）、及び６倍モードにおけるトラックピッチの２倍より若干狭いヘッド幅を有する６倍モード用ヘッド対６（６Ｒ，６Ｌ）からなるダブルアジマス方式の４ヘッドと全てのモードに用いられる音声用ヘッド４（４Ｒ，４Ｌ）を設けているものである。
【０００５】
以上のように構成された従来の磁気記録再生装置について、以下その動作については、特開平７−７３４０５号公報に記載されたものに準じて説明する。
【０００６】
まず、シングルヘッド対５にて、標準モードの記録・再生、及び３倍モードの互換再生を行う。またヘッド対７にて３倍モードの記録・再生を行い、６倍モードにおける記録トラックピッチの２倍より若干狭いトラック幅を有し、アジマス角を±０度から±２０度の間に設定した６倍モード用ヘッド対６にて、６倍モードの記録再生を行う。
【０００７】
標準モード、３倍モード、６倍モードの特殊再生についてはフィールドメモリを用いたデジタル回路により補完している。
【０００８】
次に図５において示すヘッドの構成について説明する。１Ｒ，１Ｌ、９Ｒ，９Ｌで構成されているダブルアジマス方式４ヘッドのなかで１Ｒと１Ｌは標準モードの記録再生に用いられるヘッド対でヘッド対Ｅとする。９Ｒと９Ｌは３倍モードの記録再生に用いられるヘッド対でヘッド対Ｆとする。一般的に各ヘッドのヘッド幅は、ヘッド対Ｅで４９μｍ、ヘッド対Ｆで２６μｍ程度が選ばれる。また６倍モード用の記録再生用に８Ｒと８Ｌを設けており、これをヘッド対Ｇとする。ヘッド対Ｇのヘッド幅は６倍のトラックピッチの２倍より若干狭いヘッド幅に設定されている。さらに４Ｒと４Ｌからなるヘッド対をヘッド対Ｂとし、ヘッド対ＢはＨｉＦｉオーディオ用のヘッド対で標準、３倍、６倍の３モードの記録再生に共用して用いられる。一般的に互換再生を考え２６μｍ〜３０μｍのトラック幅が選ばれる。ヘッド対Ｅとヘッド対Ｆにて標準モードと３倍モードの互換再生、標準モード記録再生及び両モードの特殊再生を行う。また３倍モードの通常再生時には、隣接トラックからのクロストークが発生しないようにヘッド対Ｇを用いる。
【０００９】
【発明が解決しようとする課題】
しかしながら図４の構成では、特開平７−７３４０５号公報にも述べられているように全てのモードにおいて特殊再生時には、再生信号出力をＦＭ復調した後のビデオ信号と低域変換色信号とを１フィールド記憶するフィールドメモリを持つデジタル回路が必要となりコスト的な負担が大きいという問題点を有していた。
【００１０】
またアジマス角が従来のものと違うヘッドのついた４ヘッドや標準モード用に従来よりトラックピッチの狭いノーマルヘッドなどを新たに製造せねばならず、工場設備投資と数量のバランスからみてもコスト的な負担が大きいという問題点が予想される。
【００１１】
さらに図５の構成時には３倍モード記録再生時にクロストークを防ぐために再生ヘッドとして６倍モード用ヘッド対Ｇを用いるが反面、フルトラック再生に比べて出力が低下するという問題点がある。
【００１２】
また図４、図５に共通する点であるが、６倍のトラックピッチの２倍より若干狭いヘッド幅に設定されたヘッドにて６倍モードの記録再生専用を行っている。これは同一のヘッドで記録と再生をするので記録時にはＨｉＦｉ音声の消し残しを無くすという面でヘッド幅はトラックピッチよりも広くする必要があり、一方再生時には隣接トラックからのクロストークを除くためにはトラックピッチより狭くする必要があるというジレンマを有する。また同時にＨｉＦｉオーディオの音質を著しく劣化させるか、あるいは標準モードあるいは３倍モードにおいてＨｉＦｉオーディオ信号の互換再生に対する余裕が著しく削られるという問題点も有していた。この点に関しては、特開平７−７３４０５号公報には論じられていない。
【００１３】
この点を図６をもって６倍モードで説明する。図６は従来の磁気記録再生装置のヘッドがどのように記録トラックをトレースするかを概念的に示す図である。Ｐ１、Ｐ２、Ｐ３、Ｐ４は６倍モードのＨｉＦｉ音声と映像信号のトラックでありそのピッチは９．６μｍでＰ１とＰ３、Ｐ２とＰ４はそれぞれ同アジマスである。
【００１４】
また必ずしもＨｉＦｉ音声トラックと映像トラックは一致しないがここでは説明を簡略化するため一致していることとする。ヘッドＢは標準、３倍、６倍モードの記録再生を行うＨｉＦｉヘッド対で図４、図５での４Ｌと４Ｒからなるヘッド対Ｂであり、そのヘッド幅は特開平７−７３４０５号公報に記されているように一般的に互換再生を考え２６μｍ〜３０μｍが選ばれる。ここでは２６μｍとして説明する。Ｇヘッドは６倍モードの記録再生を行う映像ヘッドで図４では７Ｌと７Ｒのヘッド対であり、図５では８Ｌと８Ｒからなるヘッド対Ｇである。
【００１５】
ヘッド対Ｇのヘッド幅（Ｔｗｇ）は６倍のトラックピッチの２倍より若干狭い幅（１９．２μｍ未満）に設定されている。
【００１６】
図６において音声の記録はヘッドＢにより行われる。ヘッドＢのヘッド幅は６倍モードの記録トラック９．６μｍより広いので図６のようなヘッドと記録トラックとの関係になる。同様にトラックピッチより広いヘッド幅を持つヘッドＧにより映像信号を記録していくので図６に示すようなヘッドＧと記録トラックの位置関係になる。次に再生時には音声用ヘッドＢがＰ２トラックをトレースする際にはＰ２に対して同アジマスの関係にあるＰ４のトラックをトレースすると著しい音質劣化を招くので例えばＢ’の位置に制御される。Ｐ２に対し２つ向こうの記録トラックが同アジマス（以下隣々接トラックと称する。図６においてＰ２の隣々接トラックはＰ４となる。また隣の記録トラックのことを隣接トラックと称する。Ｐ２の隣接トラックはＰ１とＰ３）。隣々接トラックをトレースしない最も余裕の取れる位置、つまりＰ２トラックの中心とヘッドＢのセンターの中心が重なるように記録の位置から（２６μｍ−９．６μｍ）／２＝８．２μｍだけずらして制御した結果がＢ’となる。これにより隣々接トラックからの強烈なクロストークの影響を受けずにすむことになる。しかしヘッドＢを８．２μｍずらすと同じように映像のＧヘッドも８．２μｍだけずれるので本来Ｐ２のトラックをＧヘッドはトレースしたいのだから８．２μｍだけＧヘッドのヘッド幅を広くする必要が生じる。するとＧヘッドは９．６μｍの正規の信号をＰ２トラックから再生すると同時に８．２μｍもの隣接トラックＰ１からのクロストークを受けることになる。これはアジマス角を変えたヘッド対７でも画質劣化の影響は受けざるを得ない。逆にヘッドＢ幅を狭くすることでヘッドＢが同アジマストラックＰ４の影響を受けないようにしようとすると特に標準モードでのＦＭ音声の互換保証が難しくなる。
【００１７】
本発明は上記従来の問題点を解決するもので、ＨｉＦｉヘッドのトラックピッチを狭くすることなく５倍以上の長時間記録モードにおいてＨｉＦｉヘッドが隣々接トラックを拾うことを防ぎ良好な音質を提供、また映像についても隣接トラックからのクロストークのない良好な画質を提供し、かつ標準モード、３倍モードの特殊再生も従来通りフィールドメモリを使用せずに成立させる磁気記録再生装置を提供することを目的とする。
【００１８】
【課題を解決するための手段】
この目的を達成するために本発明の磁気記録再生装置は、標準記録モードと前記標準記録モードに対し２倍あるいは３倍の長時間記録を可能とする２倍あるいは３倍記録モードに対応し、主に映像信号の記録再生および特殊再生に使用する１組以上のヘッド対によって構成されるヘッド群Ａと、主に音声信号の記録再生に使用するヘッド対Ｂとを有し、前記ヘッド群Ａは、前記標準記録モードに対し５倍以上の長時間記録を可能とする５倍以上の長時間記録モードに対応し映像信号の記録に使用するヘッド対Ｄを含む磁気記録再生装置において、５倍以上の長時間記録モードの映像信号を再生するために使用しヘッド幅Ｔｗｃが５倍以上の長時間記録モードのトラックピッチＰｘに対しＴｗｃ≦Ｐｘの関係にあるヘッド対Ｃを備え、前記ヘッド対ＤはトラックピッチＰｘに対してＰｘ＜Ｔｗｄ＜２×Ｐｘなるヘッド幅Ｔｗｄを有し、前記ヘッド対ＢはトラックピッチＰｘに対して２×Ｐｘ＜Ｔｗｂ＜３×Ｐｘなるヘッド幅Ｔｗｂを有し、５倍以上の長時間記録モードの再生時に、前記ヘッド対Ｃのヘッド幅中心が前記ヘッド対Ｄにより映像信号が記録された映像トラックの中心をトレースする場合に、前記ヘッド対Ｂが同アジマスの音声トラックを全てトレースし、且つ、前記ヘッド対Ｂが余分にトレースする逆アジマスの隣接音声トラック中にある前記ヘッド対Ｄにより映像信号が１回のみ記録された箇所を、前記ヘッド対Ｂが２箇所同時にトレースすることのない位置に、前記ヘッド対Ｂと前記ヘッド対Ｃを配置した構成を有している。
【００１９】
この構成によって、従来のダブルアジマス方式の４ヘッドとＨｉＦｉヘッドを使用できる。従って標準モード及び２倍あるいは３倍モードの記録・再生と特殊再生が従来通り可能となるので、再生信号出力をＦＭ復調した後のビデオ信号と低域変換色信号とを１フィールド記憶するフィールドメモリを持つデジタル回路は不要でありコスト的な負担が少ない。
【００２０】
また、新たに追加するヘッド対Ｃも従来と同じアジマス角で構成しているため、工場設備投資も少なくてすむ。
【００２１】
さらに、５倍以上の長時間記録モードの再生時には専用のヘッド対Ｃを設けており、３倍モード記録再生時には従来と同じフルトラック再生を行うので出力が低下することがない。
【００２２】
このようにして、５倍以上の長時間記録モードの再生時において隣々接トラックの影響のない良好な音声と隣接トラックからのクロストークのない良好な画質を提供することができる。
【００２３】
【発明の実施の形態】
本発明の請求項１に記載の発明は、標準記録モードと前記標準記録モードに対し２倍あるいは３倍の長時間記録を可能とする２倍あるいは３倍記録モードに対応し、主に映像信号の記録再生および特殊再生に使用する１組以上のヘッド対によって構成されるヘッド群Ａと、主に音声信号の記録再生に使用するヘッド対Ｂとを有し、前記ヘッド群Ａは、前記標準記録モードに対し５倍以上の長時間記録を可能とする５倍以上の長時間記録モードに対応し映像信号の記録に使用するヘッド対Ｄを含む磁気記録再生装置において、５倍以上の長時間記録モードの映像信号を再生するために使用しヘッド幅Ｔｗｃが５倍以上の長時間記録モードのトラックピッチＰｘに対しＴｗｃ≦Ｐｘの関係にあるヘッド対Ｃを備え、前記ヘッド対ＤはトラックピッチＰｘに対してＰｘ＜Ｔｗｄ＜２×Ｐｘなるヘッド幅Ｔｗｄを有し、前記ヘッド対ＢはトラックピッチＰｘに対して２×Ｐｘ＜Ｔｗｂ＜３×Ｐｘなるヘッド幅Ｔｗｂを有し、５倍以上の長時間記録モードの再生時に、前記ヘッド対Ｃのヘッド幅中心が前記ヘッド対Ｄにより映像信号が記録された映像トラックの中心をトレースする場合に、前記ヘッド対Ｂが同アジマスの音声トラックを全てトレースし、且つ、前記ヘッド対Ｂが余分にトレースする逆アジマスの隣接音声トラック中にある前記ヘッド対Ｄにより映像信号が１回のみ記録された箇所を、前記ヘッド対Ｂが２箇所同時にトレースすることのない位置に、前記ヘッド対Ｂと前記ヘッド対Ｃを配置したことを特徴としたものであり、５倍以上の長時間記録時にはヘッド幅が確実に５倍以上の長時間記録時のトラックピッチよりも広いヘッド幅をもつヘッド群Ａの１対のヘッドで映像を、またヘッド対ＢでＦＭ音声を記録してＦＭ音声の映像信号による消し残しを防ぎヘッド対Ｃを５倍以上の長時間記録モードでの映像信号の再生専用ヘッドとして使用することにより、５倍以上の長時間記録モードを持たない従来磁気記録再生装置と同じヘッド群Ａの構成をもつことが可能になり、標準、２倍あるいは３倍の特殊再生が可能となる。また、５倍以上の長時間記録モードの再生時には映像信号の再生専用に設けられたヘッドＣのヘッド幅中心がそのヘッド幅に関わらず記録されている映像トラックの中心に一致させてトレースする場合に、前記ヘッド対Ｂにより記録された音声信号の同アジマス記録トラックは全てトレースし、余分にトレースする逆アジマスの隣接トラックの中の前記ヘッド群Ａにより映像信号を後から１回のみ記録された箇所について２箇所同時にトレースすることのないように前記ヘッド対Ｃを配置したことにより、ヘッド対ＢはＨｉＦｉ音声トラックをトレースする場合に隣々接トラックをトレースする確立が少なく、また隣接トラックをトレースする際にはノイズ成分が大きい前記箇所を１箇所はトレースしても２箇所はトレースしないため、隣々接トラックの影響が少ないだけでなく、隣接トラックからの影響も少ない良好な音声を得ることができるという作用を有する。
【００２４】
また、ヘッド群Ａの中で５倍以上の長時間記録モードでの記録に使用するヘッド対Ｄのヘッド幅Ｔｗｄを５倍以上の長時間記録モードのトラックピッチＰｘに対してＴｗｄ＜２×Ｐｘの関係にしたことにより、５倍以上の長時間記録時にヘッドＤによる同アジマスの重ね書きをしないことになるため映像信号の重ね書きによる画質劣化を抑圧することができるという作用を有する。
【００２５】
さらに、ヘッド対Ｃのヘッド幅Ｔｗｃを５倍以上の長時間記録モードのトラックピッチＰｘに対しＴｗｃ≦Ｐｘの関係にしたことにより、５倍以上の長時間記録モードの再生時に隣接トラックからのクロストーク影響の少ない映像信号を得ることができるという作用を有する。
【００２６】
以下、本発明の磁気記録再生装置の実施の形態について、図１乃至図４を用いて説明する。
【００２７】
（実施の形態１）
図１は本発明の実施の形態１における磁気記録再生装置のヘッド構成を示す図である。大きな円周にある小さな○（１Ｒ，１Ｌ，２Ｒ，２Ｌ，３Ｒ，３Ｌ，４Ｒ，４Ｌ）はそれぞれヘッドを示す。まず１Ｒ，１Ｌ，２Ｒ，２Ｌで構成されているのがヘッド群Ａでこれはダブルアジマス方式の４ヘッドである。そのヘッド群Ａの中の２Ｒと２Ｌのヘッド対をヘッド対Ｄと呼ぶ。ヘッド対Ｄのヘッド幅（Ｔｗｄ）はＴｗｄ＜２×Ｐｘの関係に設定されている。ここでＰｘは５倍以上の長時間記録モードのトラックピッチである。
【００２８】
次に４Ｌと４Ｒからなるヘッド対をヘッド対Ｂと呼ぶ。ヘッド対Ｂのヘッド幅（Ｔｗｂ）は２×Ｐｘ＜Ｔｗｂ＜３×Ｐｘの関係に設定されている。
【００２９】
次に３Ｒと３Ｌからなるヘッド対をヘッド対Ｃと呼ぶ。ヘッド対Ｃのヘッド幅（Ｔｗｃ）はＴｗｃ≦Ｐｘに設定されている。
【００３０】
以上のように構成されたヘッド構成を持つ磁気記録再生装置についてその動作を説明する。ヘッド群Ａは標準モードと２倍あるいは３倍モードの映像の記録再生及び特殊再生に用いられるヘッドであり、ヘッド対Ｂは標準、２倍、３倍、５倍以上の全てのモードのＦＭ音声の記録再生および特殊再生に用いられるヘッドでありヘッド対Ｃは５倍以上の長時間モードの映像信号の再生にのみ用いられるヘッドであり、ヘッド対Ｄは５倍以上の長時間記録時には映像の記録を行う。ここで、標準、２倍、３倍の映像と音声の記録再生と特殊再生については従来公知の技術であるのでここでは論じない。
【００３１】
次に図２を用いて５倍以上の長時間記録時の動作について説明を行う。図２は本発明の実施の形態１における磁気記録再生装置のヘッドが５倍以上の長時間モードの記録トラックに対してどのようにトレースするかを概念的に示す図である。オーディオヘッドＡＬ及びＡＲはヘッド対Ｂであり、図１における４Ｒと４Ｌに相当し、ＦＭ音声の記録再生を行うものである。ビデオヘッドＬ及びＲはヘッド対Ｄであり、図１における２Ｌと２Ｒに相当し、５倍以上の長時間記録時には映像の記録を行うものである。ビデオヘッドＸＬ及びＸＲはヘッド対Ｃであり、図１における３Ｒと３Ｌに相当し、５倍以上の長時間記録モードの再生時にのみ用いられる映像の再生専用ヘッドである。図中横方向のＡＬからＡＲへのシフト距離はトラックピッチＰｘである。また記録テープパターンにアジマス方向を模式化して描いている。隣接トラック間は逆アジマスであり、隣々接トラック間は同アジマスである。この例ではＨｉＦｉ音声トラックと映像トラックとがずれている場合を示す。
【００３２】
図２において音声の記録はヘッドＢにより行われる。ヘッドＢのヘッド幅Ｔｗｂは２×Ｐｘ＜Ｔｗｂ＜３×Ｐｘであるので図２のようなヘッドと記録トラックとの関係になる。映像の記録はヘッド対Ｄにより行われる。ヘッド対Ｄのヘッド幅ＴｗｄはＴｗｄ＜２×Ｐｘであり、またＰｘ＜Ｔｗｄであるので図２に示すように映像信号を後から１回のみ記録された箇所（１回消し部）と映像信号を後から２回記録された箇所（２回消し部）が存在する。記録しているときには同アジマスである隣々接トラックに対しては影響を与えない。つまり同アジマスの重ね書きは行われない。
【００３３】
次に５倍以上の長時間記録モードの再生時には例えばヘッド対Ｃの再生出力が最大となるようにオートトラッキングを働かせる。このヘッドＣはヘッド幅Ｔｗｃ≦Ｐｘに設定されているので、映像トラックの信号だけをトレースすることができ、ビデオの隣接トラックの映像からのクロストークを全く受けない再生映像信号を得ることができる。これにより５倍以上の長時間記録モードの再生時にヘッドＣの中心と映像トラックの中心が重なるようにすることができる。
【００３４】
ここで図３を用いて各ヘッド対の物理的位置関係について説明する。図３は各ヘッド対の取付け高さを示す模式図であり、縦軸にヘッドの取付け高さを、横軸に回転ヘッドシリンダーの外周方向を示す。各ヘッド対は図１に示す様に回転ヘッドシリンダー上に約６０度の間隔で取り付けられている。ここで、図１の各ヘッド１Ｌ，２Ｒ，３Ｒ，４Ｒ，１Ｒ，２Ｌ，３Ｌ，４Ｌは、各々図３のＬ’，Ｒ，ＸＲ，ＡＲ，Ｒ’，Ｌ，ＸＬ，ＡＬに相当する。テープ走行している場合には回転ヘッドシリンダー上の１８０度の間隔が１トラックピッチのずれに相当する。従って例えば６０度の間隔ではトラックピッチの１／３のずれとなる。ヘッド間で任意のずれを生じさせるには、後はヘッドの取付け高さを調整する必要がある。図３ではヘッド対Ｂ（ＡＲ，ＡＬ）はヘッド対Ｄ（Ｒ，Ｌ）に対しＡだけ取付け位置が高く、またヘッド対Ｃ（ＸＲ，ＸＬ）はヘッド対Ｂ（ＡＲ，ＡＬ）に対しＢだけ取付け位置が低いことを示す。
【００３５】
この構成によって、ヘッドＣが映像トラックをトレースする場合には音声用ヘッドＢは回転ヘッドシリンダー上のヘッド間隔及び図３中のＢで示す量で定まる分の位置にずれる。このためにヘッド対Ｂにより記録された音声信号の同アジマス記録トラックは全てトレースし、余分にトレースする逆アジマスの隣接トラックの中のヘッド群Ａにより映像信号を後から１回のみ記録された箇所について２箇所同時にトレースすることのないように前記ヘッド対Ｃを配置する。尚、映像信号を後から１回のみ記録された箇所（１回消し部）のノイズ成分は映像信号を後から２回記録された箇所（２回消し部）のノイズ成分よりも大きいことが知られている。これにより、ヘッド対ＢはＨｉＦｉ音声トラックをトレースする場合に隣々接トラックをトレースする確率が少なく、また隣接トラックをトレースする際にはノイズ成分が大きい前記箇所を１箇所はトレースしても２箇所はトレースしないため、隣々接トラックの影響が少ないだけでなく、隣接トラックからの影響も少ない良好な音声を得ることができる。この結果、ヘッドＣをずらすと同じようにヘッドＢもヘッドＤも同距離だけずれる。尚、ヘッドＣは記録には用いられない。
【００３６】
また、従来のダブルアジマス方式の４ヘッドとＨｉＦｉヘッドを使用できる。従って標準モード及び２倍あるいは３倍モードの記録・再生と特殊再生が従来通り可能となるので、再生信号出力をＦＭ復調した後のビデオ信号と低域変換色信号とを１フィールド記憶するフィールドメモリを持つデジタル回路は不要でありコスト的な負担が少ない。
【００３７】
また、新たに追加するヘッド対Ｃも従来と同じアジマス角で構成しているため、工場設備投資も少なくてすむ。
【００３８】
さらに、５倍以上の長時間記録モードの再生時には専用のヘッド対Ｃを設けており、３倍モード記録再生時には従来と同じフルトラック再生を行うので出力が低下することがない。
【００３９】
５倍以上の長時間記録モードとして５倍モードが実際的であるがこれについて説明する。５倍モードが実際的であるのは次の理由による。ＶＨＳ方式（日本ビクター株式会社の商標）ではＮＴＳＣ方式の標準モードのトラックピッチは５８μｍである。ヘッドＤは３倍モード及びＮ倍モードにおいて共に記録時に使用するものである。３倍モードにおけるトラックピッチＰ３は５８μｍ／３＝１９．３μｍである。従ってヘッドＤのヘッド幅Ｔｗｄは１９．３μｍ以上でなければならない。一方、Ｎ倍モードにおけるトラックピッチは５８μｍ／Ｎである。映像信号の重ね書きによる画質劣化を抑圧しＮ倍モード記録時にヘッド対Ｄによる同アジマスの重ね書きを避けるためにはヘッドＤのヘッド幅ＴｗｄはＴｗｄ＜２×５８／Ｎでなければならない。
【００４０】
従って１９．３μｍ≦Ｔｗｄ＜２×５８μｍ／Ｎを満たす整数Ｎは６未満となる。機械的バラツキを考慮すれば整数Ｎの最大値は５となる。すなわち、５倍モードが実際的である。
【００４１】
尚、ヘッドＤは３倍モードの記録再生にも使用することを条件にしたため整数Ｎの最大値は５となったが、３倍モードの記録再生との兼用をしない場合はＴｗｄの最小値を更に小さくすることは可能であり、このときＮの取りうる値は５より大きくできることは言うまでもない。
【００４２】
以上のように本実施の形態１によれば、５倍以上の長時間記録モードの記録時にはヘッド幅が確実に５倍以上の長時間記録モードの記録時のトラックピッチよりも広いヘッド幅をもつヘッド群Ａの１対のヘッド対Ｄで映像を、またヘッド対ＢでＦＭ音声を記録し、ヘッド対Ｃを５倍以上の長時間記録モードでの映像信号の再生専用ヘッドとして使用することにより、５倍以上の長時間記録モードを持たない従来磁気記録再生装置と同じヘッド群Ａの構成をもつことが可能になり、標準、２倍あるいは３倍の特殊再生が可能となる。
【００４３】
また、ヘッド対Ｂにより記録された音声信号の同アジマス記録トラックは全てトレースし、余分にトレースする逆アジマスの隣接トラックの中のヘッド群Ａにより映像信号を後から１回のみ記録された箇所について２箇所同時にトレースすることのないように前記ヘッド対Ｃを配置することにより、ヘッド対ＢはＨｉＦｉ音声トラックをトレースする場合に隣々接トラックをトレースする確率が少なく、また隣接トラックをトレースする際にはノイズ成分が大きい前記箇所を１箇所はトレースしても２箇所はトレースしないため、隣々接トラックの影響が少ないだけでなく、隣接トラックからの影響も少ない良好な音声を得ることができる。
【００４４】
また、再生信号出力をＦＭ復調した後のビデオ信号と低域変換色信号とを１フィールド記憶するフィールドメモリを持つデジタル回路は不要でありコスト的な負担が少ない。
【００４５】
また、新たに追加するヘッド対Ｃも従来と同じアジマス角で構成しているため、工場設備投資も少なくてすむ。
【００４６】
さらに、５倍以上の長時間記録モードの再生時には専用のヘッド対Ｃを設けており、３倍モード記録再生時には従来と同じフルトラック再生を行うので出力が低下することがない。
【００４７】
また、ヘッド群Ａの中で５倍以上の長時間記録モードでの記録に使用するヘッド対Ｄのヘッド幅Ｔｗｄが５倍以上の長時間記録モードのトラックピッチＰｘに対してＴｗｄ＜２×Ｐｘの関係にしたことにより５倍以上の長時間記録時にヘッドＤによる同アジマスの重ね書きをしないことになるため映像信号の重ね書きによる画質劣化を抑圧することができる。
【００４８】
また、ヘッド対Ｂのヘッド幅Ｔｗｂが５倍以上の長時間記録モードのトラックピッチＰｘに対して２×Ｐｘ＜Ｔｗｂ＜３×Ｐｘの関係にあるとしたことにより２倍モードあるいは３倍モードの互換再生を保証しながら、しかも５倍以上の長時間記録モードの再生時には隣々接トラックをトレースしないようにヘッド対Ｂを制御することが可能となる。
【００４９】
また、ヘッド対Ｃのヘッド幅Ｔｗｃが５倍以上の長時間記録モードのトラックピッチＰｘに対しＴｗｃ≦Ｐｘの関係にしたことにより５倍以上の長時間記録モード再生時に隣接トラックからのクロストーク影響の少ない映像信号を得て良好な画質を提供することができる。
【００５０】
【発明の効果】
以上のように本発明は、５倍以上の長時間記録モードの記録時にはヘッド幅が確実に５倍以上の長時間記録モードの記録時のトラックピッチよりも広いヘッド幅をもつヘッド群Ａの１対のヘッド対Ｄで映像を、またヘッド対ＢでＦＭ音声を記録し、ヘッド対Ｃを５倍以上の長時間記録モードでの映像信号の再生専用ヘッドとして使用することにより、５倍以上の長時間記録モードを持たない従来磁気記録再生装置と同じヘッド群Ａの構成をもつことが可能になり、標準、２倍あるいは３倍の特殊再生が可能となるという優れた効果が得られる。
【００５１】
また、ヘッド対Ｂにより記録された音声信号の同アジマス記録トラックは全てトレースし、余分にトレースする逆アジマスの隣接トラックの中のヘッド群Ａにより映像信号を後から１回のみ記録された箇所について２箇所同時にトレースすることのないように前記ヘッド対Ｃを配置することにより、ヘッド対ＢはＨｉＦｉ音声トラックをトレースする場合に隣々接トラックをトレースする確率が少なく、また隣接トラックをトレースする際にはノイズ成分が大きい前記箇所を１箇所はトレースしても２箇所はトレースしないため、隣々接トラックの影響が少ないだけでなく、隣接トラックからの影響も少ない良好な音声を得ることができるという優れた効果が得られる。
【００５２】
また、再生信号出力をＦＭ復調した後のビデオ信号と低域変換色信号とを１フィールド記憶するフィールドメモリを持つデジタル回路は不要でありコスト的な負担が少ないという優れた効果が得られる。
【００５３】
また、新たに追加するヘッド対Ｃも従来と同じアジマス角で構成しているため、工場設備投資も少なくてすむという優れた効果が得られる。
【００５４】
さらに、５倍以上の長時間記録モードの再生時には専用のヘッド対Ｃを設けており、３倍モード記録再生時には従来と同じフルトラック再生を行うので出力が低下することがないという優れた効果が得られる。
【００５５】
また、ヘッド群Ａの中で５倍以上の長時間記録モードでの記録に使用するヘッド対Ｄのヘッド幅Ｔｗｄが５倍以上の長時間記録モードのトラックピッチＰｘに対してＴｗｄ＜２×Ｐｘの関係にしたことにより５倍以上の長時間記録時にヘッドＤによる同アジマスの重ね書きをしないことになるため映像信号の重ね書きによる画質劣化を抑圧することができるという優れた効果が得られる。
【００５６】
また、ヘッド対Ｂのヘッド幅Ｔｗｂが５倍以上の長時間記録モードのトラックピッチＰｘに対して２×Ｐｘ＜Ｔｗｂ＜３×Ｐｘの関係にあるとしたことにより２倍モードあるいは３倍モードの互換再生を保証しながら、しかも５倍以上の長時間記録モードの再生時には隣々接トラックをトレースしないようにヘッド対Ｂを制御することが可能となるという優れた効果が得られる。
【００５７】
また、ヘッド対Ｃのヘッド幅Ｔｗｃが５倍以上の長時間記録モードのトラックピッチＰｘに対しＴｗｃ≦Ｐｘの関係にしたことにより５倍以上の長時間記録モード再生時に隣接トラックからのクロストーク影響の少ない映像信号を得て良好な画質を提供することができるという優れた効果が得られる。
【図面の簡単な説明】
【図１】本発明の実施の形態１における磁気記録再生装置のヘッド構成を示す図
【図２】本発明の実施の形態１における磁気記録再生装置のヘッドがどのように記録トラックをトレースするかを概念的に示す図
【図３】本発明の実施の形態１における磁気記録再生装置の各ヘッド対の取付け高さを示す模式図
【図４】従来の磁気記録再生装置のヘッド構成を示す概略説明図
【図５】従来の磁気記録再生装置のヘッド構成を示す概略説明図
【図６】従来の磁気記録再生装置のヘッドがどのように記録トラックをトレースするかを概念的に示す図
【符号の説明】
１  標準モード用ヘッド
２  ２倍あるいは３倍モード用ヘッド
３  ５倍以上の長時間記録モードでの再生専用ヘッド
４  全モード用ＦＭ音声用ヘッド
【図１】
0003595205.tif 000002
【図２】
0003595205.tif 000003
【図３】
0003595205.tif 000004
【図４】
0003595205.tif 000005
【図５】
0003595205.tif 000006
【図６】
0003595205.tif 000007